(57)【要約】【課題】表示部の像の色と背景の色が可変でありながら、使用者の指定ミスによって像の視認が不可能または困難になるのを防止し得る画像形成装置を提供する。【解決手段】複写機(1)は、使用者によって指定された色を表示部(15)の像の色として設定し、同じく使用者によって指定された色を表示部(15)の背景の色として設定する。設定に先立ち、像および背景の色として指定された色の差が所定値以下であるか否かを色の設定の実行前に判定し、所定値以下のときは警告を表示する。また、像および背景の色として指定された色が同じであるときは、像および背景の色の設定を行わない。【選択図】図１
2008304931.tif 000002
【特許請求の範囲】
【請求項１】
シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、
使用者によって指定される表示部の像の色と表示部の背景の色の差が所定値以下であるか否かを色の設定の実行前に判断し、前記差が所定値以下のときに、警告を発することを特徴とする画像形成装置。
【請求項２】
シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、
使用者によって指定される表示部の像の色と表示部の背景の色の差が所定値以下であるか否かを色の設定の実行前に判断し、前記差が所定値以下のときに、表示部の像の色および表示部の背景の色をその指示が与えられる前の色に保つことを特徴とする画像形成装置。
【請求項３】
前記差が所定値以下のときに、警告を発することを特徴とする請求項２に記載の画像形成装置。
【請求項４】
シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、
前記像の色および前記背景の色の表示は、モノクロームであり、
使用者によって指定される前記像の色と前記背景の色とにおける濃度の差の絶対値が所定値以下であるか否かを色の設定の実行前に判断し、前記絶対値が所定値以下のときに、警告を発することを特徴とする画像形成装置。
【請求項５】
シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、
前記像の色および前記背景の色の表示は、モノクロームであり、
使用者によって指定される前記像の色と前記背景の色とにおける濃度の差の絶対値が所定値以下であるか否かを色の設定の実行前に判断し、前記絶対値が所定値以下のときに、前記像の色および前記背景の色をその指示が与えられる前の色に保つことを特徴とする画像形成装置。
【請求項６】
前記絶対値が所定値以下のときに、警告を発することを特徴とする請求項５に記載の画像形成装置。
【請求項７】
前記警告は、色の設定の実行前に行われることを特徴とする請求項１、３、４または６に記載の画像形成装置。
【発明の詳細な説明】
【技術分野】
【０００１】
本発明はシートに画像を形成する複写機等の画像形成装置に関し、特に、情報を表示する表示部の色が可変の画像形成装置に関する。
【背景技術】
【０００２】
複写機、ファクシミリ、プリンタ等の画像形成装置には、画像の形成に関する情報、操作案内等を表示するための表示部が設けられている。従来の表示部はモノクロームであったが、近年ではカラーの表示部が多用されている。
【０００３】
表示部に表示する像（文字、記号等）の色や背景の色を変え得るようにした画像形成装置も提案されている（例えば、特開平１１−２０３００７号参照）。使用者によって好みの色は相違し、また、色覚に異常を有する使用者もあるから、このように、表示部の像や背景の色を変え得るようにすると、使用者が好みの色や見易い色を設定することができて、便利である。
【特許文献１】特開平１１−２０３００７号公報
【発明の開示】
【発明が解決しようとする課題】
【０００４】
ところが、色を指定する際の使用者のミスにより、表示部の像の色と背景の色が、全く同じになったり、僅かしか違わないという事態が生じる。像の色と背景の色が同じであれば、当然、像の視認は不可能であり、像の色と背景の色が異なっていても大きな差がなければ、像の視認が困難になる。
【０００５】
このような状態になったときには色を設定し直す必要があるが、色の設定を直ちに表示部に反映する装置では、色の設定を案内する表示自体が、視認できなくなったり視認が困難になったりする。その場合、装置の再起動が必要になる。しかし、色の設定を記憶しておいて、起動時の表示部の色を停止直前の色に設定する装置もあり、このような装置では、色を設定し直すことがきわめて難しくなる。
【０００６】
本発明は、このような問題点に鑑みてなされたもので、表示部の像の色と背景の色が可変でありながら、使用者の指定ミスによって像の視認が不可能または困難になるのを防止し得る画像形成装置を提供することを目的とする。
【課題を解決するための手段】
【０００７】
本発明の画像形成装置は、シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、使用者によって指定される表示部の像の色と表示部の背景の色の差が所定値以下であるか否かを色の設定の実行前に判断し、前記差が所定値以下のときに、警告を発することを特徴としている。
【０００８】
本発明の画像形成装置は、シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、使用者によって指定される表示部の像の色と表示部の背景の色の差が所定値以下であるか否かを色の設定の実行前に判断し、前記差が所定値以下のときに、表示部の像の色および表示部の背景の色をその指示が与えられる前の色に保つことを特徴としている。
【０００９】
本発明の画像形成装置において、前記差が所定値以下のときに、警告を発するようにしてもよい。
【００１０】
本発明の画像形成装置は、シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、前記像の色および前記背景の色の表示は、モノクロームであり、使用者によって指定される前記像の色と前記背景の色とにおける濃度の差の絶対値が所定値以下であるか否かを色の設定の実行前に判断し、前記絶対値が所定値以下のときに、警告を発することを特徴としている。
【００１１】
本発明の画像形成装置は、シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、前記像の色および前記背景の色の表示は、モノクロームであり、使用者によって指定される前記像の色と前記背景の色とにおける濃度の差の絶対値が所定値以下であるか否かを色の設定の実行前に判断し、前記絶対値が所定値以下のときに、前記像の色および前記背景の色をその指示が与えられる前の色に保つことを特徴としている。
【００１２】
本発明の画像形成装置において、前記絶対値が所定値以下のときに、警告を発するようにしてもよい。
【００１３】
本発明の画像形成装置において、前記警告は、色の設定の実行前に行われることが望ましい。
【発明の効果】
【００１４】
本発明のように、使用者によって指定される表示部の像の色と背景の色と差（または濃度の差の絶対値）が所定値以下であるか否かを色の設定の実行前に判断し、所定値以下のときに警告を発するようにすると、像の視認が困難になったり不可能になったりするのを避けることができる。使用者は、ミスを気にすることなく、安心して色の変更を指示することが可能である。
【００１５】
また、本発明のように、使用者によって指定される表示部の像の色と背景の色と差（または濃度の差の絶対値）が所定値以下であるか否かを色の設定の実行前に判断し、所定値以下のときに、表示部の像の色および背景の色をその指示が与えられる前の色に保つようにすると、像の視認が不可能になるのを確実に防止することができる。
【００１６】
なお、色には有彩色と無彩色があり、無彩色の白と黒は、一般に、異なる色とされている。また、白と黒の中間である灰色も、白や黒とは別の色とされている。本発明における色は、このような一般的な意味でのものであり、色度（色相）と明度の双方を要素とする。すなわち、色度が一定のモノクローム表示でも、明度の異なる部位があれば、それらの部位は異なる色を有する。
【発明を実施するための最良の形態】
【００１７】
以下、本発明の実施形態について図面を参照しながら説明する。第１の実施形態の複写機１の外観および内部の一部を図１の上面図に模式的に示す。複写機１は、原稿を載置するためのコンタクトガラス１１、コンタクトガラス１１上に原稿Ｄを搬送するとともに、画像読み取り後の原稿を排出する原稿搬送部１２、使用者によって操作される操作部１４、および、複写機の設定状況、操作案内等を表示する表示部１５を上面に備えている。
【００１８】
原稿搬送部１２は、その一縁を中心に回動可能であり、コンタクトガラス１１を覆う閉じた状態と、コンタクトガラス１１を露出させる開いた状態とを取り得る。図１は原稿搬送部１２が閉じている状態を表している。操作部１４は、複数の操作キー１４ａと、指が触れた部位を検出するタッチパネル１４ｂより成る。表示部１５はカラーの液晶パネルより成り、タッチパネル１４ｂと重ねて配置されている。複写機１は、また、コンタクトガラス１１に向けて光を照射しながら矢印Ａ方向に移動して、コンタクトガラス１１上の原稿からの反射光によって原稿の画像を読み取るスキャナ式の画像読取部１３を内部に備えている。
【００１９】
複写機１の構成を図２に模式的に示す。複写機１は、上述の各部のほか、記憶部１６、通信部１７、画像処理部１８、画像記憶部１９、画像形成部２０、シート搬送部２１、および制御部２２を備えている。記憶部１６は制御部２２が複写機１の制御に用いるプログラムおよびパラメータを記憶している。図示しないが、通信部１７は、ＬＡＮケーブルを介してパーソナルコンピュータに接続されており、また、公衆電話回線を介して外部のファクシミリ装置に接続される。
【００２０】
画像処理部１８は、画像読取部１３が読み取った画像にデジタル化、画質の向上等の処理を施す。画像処理部１８はまた、制御部２２から与えられる文字データを、その内容を表す画像に変換する処理も行う。画像記憶部１９は、画像処理部１８によって処理を施された画像、および文字データから変換された画像を記憶する。画像形成部２０は、画像記憶部１９に記憶されている画像をシートに形成し、シート搬送部２１は、画像形成部２０に画像形成用のシートを搬送するとともに、画像形成後のシートを排出する。制御部２２は、上記の各部を制御して、複写機１の動作全体を制御する。
【００２１】
このような構成の複写機１は、パーソナルコンピュータから与えられるデータを印刷するプリンタとしても機能し、公衆電話機線を介して他のファクシミリ装置との間でデータを送受するファクシミリ装置としても機能する。
【００２２】
表示部１５が表示する内容の一例を図３に示す。ここでは、複写が可能な状態にあることを示す情報と、複写部数等の画像の形成に関する情報の一部が、文字として表示されている。表示部１５には、文字のほか、記号、図形等も表示される。以下、表示部１５に表示されるこれらの像３１のことを、その代表例である文字ともよぶ。
【００２３】
表示部１５の像３１の色と背景３２の色はいずれも可変であり、使用者の指示に応じて設定される。これらの色を設定する際に表示部１５に表示する操作案内を図４に示す。像３１および背景３２に用いられる色はあらかじめ定められている。ここでは、図４（ａ）に示すように、像３１の色として「文字」の見出しのもとに１０種、背景３２の色として同じ１０種が、各々の名前３３で示されている。使用者は、タッチパネル１４ｂのうち、色名３３が表示された部位に指を触れることで、その色名３３に対応する色を指定することができる。
【００２４】
この操作案内の表示開始時には、その時点で設定されている色の色名３３に枠３４の表示が加えられる。この枠３４は、使用者が色名３３を指定した時点で、その色名３３に移動する。
【００２５】
これらの色名３３のほか、「終了」と記したボタン３５も表示されており、タッチパネル１４ｂのうち、このボタン３５が表示された部位に指を触れることにより、色の設定の実行を指示することができる。実行を指示するまでは、像３１および背景３２に用いる色の指定を何度でも変更することが可能である。
【００２６】
設定の実行により像３１と背景３２の色は直ちに変わる。また、設定された色は記憶部１６に記憶され、次回の起動の際には、像３１と背景３２の色は記憶部１６に記憶されているものに設定される。
【００２７】
複写機１は、指定された像３１の色と背景３２の色に大きな差がなく、そのまま設定すると像３１の視認が困難になるおそれがあるときは、表示部１５に警告を表示する。その例を図４（ｂ）に示す。この警告３６は、像３１の色または背景３２の色が指定された時点で、すなわち、色の設定の実行の前に表示される。したがって、使用者は、視認が困難になる設定を避けることができる。
【００２８】
複写機１はまた、指定された像３１の色と背景３２の色が同じで、そのまま設定すると像３１の視認が不可能になるときは、表示部１５に警告を表示するとともに、色の設定の実行が指示されても、色の設定を行わない。この警告の例を図４（ｃ）に示す。この警告３７も、像３１の色または背景３２の色が指定された時点で、表示される。
【００２９】
像３１の色と背景３２の色の差の大きさは、各色を赤色（Ｒ）成分、緑色（Ｇ）成分、青色（Ｂ）成分の量で表して、Ｒ成分、Ｇ成分、Ｂ成分の各々について、像３１と背景３２との差を求めることで判定する。例えば、赤はＲ成分が１００％、Ｇ成分およびＢ成分が０％、緑はＧ成分が１００％、Ｒ成分およびＢ成分が０％、白はＲ成分、Ｇ成分、Ｂ成分が全て１００％、黒はＲ成分、Ｇ成分、Ｂ成分が全て０％であり、このような百分率で表した量の差を求める。
【００３０】
そして、Ｒ成分の量の差が所定値Ｒ０以下、Ｇ成分の量の差が所定値Ｇ０以下、かつ、Ｂ成分の量の差が所定値Ｂ０以下のときに、像３１の色と背景３２の色に大きな差がないと判定する。所定値Ｒ０、Ｇ０、Ｂ０は、例えば、それぞれ１０とする。また、Ｒ成分、Ｇ成分、Ｂ成分の量の差が全て０のとき、像３１の色と背景３２の色は同じであると判定する。なお、各色の成分量は、記憶部１６に記憶されている。
【００３１】
複写機１における表示部１５の像３１の色と背景３２の色の設定に関する処理の流れを図５に示す。まず、色の設定を行ってよいか否かを示す可否フラグの値を１とし（ステップ＃１０５）、像３１および背景３２の現時点で設定されている色のＲ成分、Ｇ成分、Ｂ成分の量を求める（＃１１０、＃１１５）。
【００３２】
次いで、図４の操作案内に表示された項目（色名３３およびボタン３５）のうち、いずれかが選択されるのを待つ（＃１２０）。いずれかの項目が選択されると、それが像３１の色名３３である否かを判定し（＃１２５）、像３１の色名３３であれば、その色のＲ成分、Ｇ成分、Ｂ成分の量を求める（＃１３０）。
【００３３】
ステップ＃１２５の判定で、選択された項目が像３１の色名３３でないときには、選択された項目が背景３２の色名３３であるか否かを判定する（＃１３５）。そして、選択された項目が背景３２の色名３３のときは、その色のＲ成分、Ｇ成分、Ｂ成分の量を求める（＃１４０）。
【００３４】
ステップ＃１３０の後およびステップ＃１４０の後、像３１のＲ成分の量と背景３２のＲ成分の量の差の絶対値が前述の所定値Ｒ０以下であるか否かを判定する（＃１４５）。この絶対値が所定値Ｒ０以下のときは、像３１のＧ成分の量と背景３２のＧ成分の量の差の絶対値が所定値Ｇ０以下であるか否かを判定する（＃１５０）。さらに、この絶対値が所定値Ｇ０以下のときは、像３１のＢ成分の量と背景３２のＢ成分の量の差の絶対値が所定値Ｂ０以下であるか否かを判定する（＃１５５）。ステップ＃１４５〜＃１５５の判定で、いずれかの絶対値が所定値Ｒ０、Ｇ０、Ｂ０を超えるときは、可否フラグの値を１として（＃１６０）、ステップ＃１２０に戻る。
【００３５】
ステップ＃１４５〜＃１５５の判定で、全ての絶対値が所定値Ｒ０、Ｇ０、Ｂ０以下のときは、像３１と背景３２とでＲ成分の量、Ｇ成分の量、Ｂ成分の量が全て等しいか否か、すなわち、上述の絶対値が全て０であるか否かを判定する（＃１６５）。そして、Ｒ成分の量、Ｇ成分の量、Ｂ成分の量が全て等しいときは、可否フラグの値を０として色の設定を不可にし（＃１７０）、図４（ｃ）の警告３７を表示して（＃１７５）、ステップ＃１２０に戻る。また、Ｒ成分の量、Ｇ成分の量、Ｂ成分の量のいずれかが等しくないときは、可否フラグの値を１とし（＃１８０）、図４（ｂ）の警告３６を表示して（＃１８５）、ステップ＃１２０に戻る。
【００３６】
ステップ＃１３５の判定で、選択された項目が背景３２の色名３３でないとき、すなわち、選択された項目が色の設定の実行を指示するボタン３５のときは、可否フラグの値が１であるか否かを判定する（＃１９０）。可否フラグの値が１でないときは、ステップ＃１２０に戻り、可否フラグの値が１のときは、像３１および背景３２の色を設定する（＃１９５）。
【００３７】
なお、本実施形態では、像３１および背景３２として用いる色の色名を表示するようにしているが、複数の区画にそれぞれ色を付けたカラーパレットを表示して、その中から像３１および背景３２の色を選択するようにしてもよい。また、像３１および背景３２として用いる色をあらかじめ定めておくことに代えて、Ｒ成分、Ｇ成分、Ｂ成分の量を数値で入力することにより色を指定するようにしてもよい。この場合は、操作キー１４ａを入力に用いるのが便利である。
【００３８】
Ｒ成分、Ｇ成分、Ｂ成分の量を数値で入力する場合、入力された像３１の色と背景３２の色が、厳密に同じではなくても、ほとんど同じになって、そのまま設定すれば像３１の視認ができなくなることがある。したがって、この場合は、入力された像３１の色と背景３２の色の差が所定値以下であるか否かを判定し、所定値以下のときに、設定を行わないようにするのが望ましい。
【００３９】
これは、例えば、図５のステップ＃１６５を省略して、ステップ＃１５５からステップ＃１７０に直接進むようにすることで実現できる。また、Ｒ成分、Ｇ成分、Ｂ成分の量に対して上述の所定値Ｒ０、Ｇ０、Ｂ０よりも小さな所定値Ｒ１、Ｇ１、Ｂ１を定めておいて、ステップ＃１６５に代えて、ステップ＃１４５〜＃１５５と同様の判定（所定値Ｒ０、Ｇ０、Ｂ０に代えて所定値Ｒ１、Ｇ１、Ｂ１を用いる）を行うステップを設け、全ての色成分の差の絶対値がこれらの所定値以下のときに、ステップ＃１７０に進むようにすることでも、実現することができる。
【００４０】
第２の実施形態の複写機２について説明する。複写機２は、上述の複写機１とほぼ同様の構成であり、表示部１５がモノクロームである点でのみ相違する。複写機２においても、表示部１５の像３１と背景３２は色が可変であり、使用者の指示に応じて設定される。ただし、表示部１５はモノクロームであるから、色の要素のうち明度（濃度）のみが可変である。
【００４１】
像３１および背景３２の色（濃度）を設定する際に表示部１５に表示する操作案内を図６に示す。像３１および背景３２の濃度はあらかじめいくつかの段階に定められている。ここでは、図６（ａ）に示すように、像３１の濃度を０〜９の１０段階、背景３２の濃度を同じ１０段階としている。これらの、濃度は等間隔である。使用者は、タッチパネル１４ｂのうち、濃度値３３ａが表示された部位に指を触れることで、その濃度を指定することができる。なお、濃度値３３ａのうち指定されたものに枠３４の表示が付加されること、および、色（濃度）の設定の実行を指示するボタン３５が表示されることは前述の通りである。
【００４２】
複写機２は、指定された像３１の濃度と背景３２の濃度に大きな差がなく、そのまま設定すると像３１の視認が困難になるおそれがあるときは、表示部１５に警告を表示する。その例を図６（ｂ）に示す。この警告３６ａは、像３１の色または背景３２の濃度が指定された時点で、すなわち、濃度の設定の実行の前に表示される。したがって、使用者は、視認が困難になる設定を避けることができる。
【００４３】
複写機２はまた、指定された像３１の濃度と背景３２の濃度が同じで、そのまま設定すると像３１の視認が不可能になるときは、表示部１５に警告を表示するとともに、濃度の設定の実行が指示されても、濃度の設定を行わない。この警告の例を図６（ｃ）に示す。この警告３７ａも、像３１の濃度または背景３２の濃度が指定された時点で、表示される。
【００４４】
像３１の濃度と背景３２の濃度の差の大きさは、０〜９の１０段階の数値から直接判定する。そして、例えば、差が２以下のときに、像３１の濃度と背景３２の濃度に大きな差がないとする。また、差が０のときに像３１の濃度と背景３２の濃度が同じであるとする。
【００４５】
複写機２における表示部１５の像３１の色と背景３２の色の設定に関する処理の流れを図７に示す。まず、色の設定を行ってよいか否かを示す可否フラグの値を１とし（ステップ＃２０５）、像３１および背景３２の現時点で設定されている濃度を求める（＃２１０、＃２１５）。
【００４６】
次いで、図６の操作案内に表示された項目（濃度値３３ａおよびボタン３５）のうち、いずれかが選択されるのを待つ（＃２２０）。いずれかの項目が選択されると、それが像３１の濃度値３３ａである否かを判定し（＃２２５）、像３１の濃度値でなければ、背景３２の濃度値３３ａであるか否かを判定する（＃２３０）。
【００４７】
ステップ＃２２５または＃２３０の判定で、像３１または背景３２の濃度値であったときは、像３１の濃度値と背景３２の濃度値の差の絶対値が２以下であるか否かを判定する（＃２３５）。この絶対値が２を超えているときは、可否フラグの値を１として（＃２４０）、ステップ＃２２０に戻る。
【００４８】
濃度値の差の絶対値が２以下のときは、像３１の濃度値と背景３２の濃度値が等しいか否かを判定する（＃２４５）。濃度値が等しいときは、可否フラグの値を０として色の設定を不可にし（＃２５０）、図６（ｃ）の警告３７ａを表示して（＃２５５）、ステップ＃２２０に戻る。また、濃度値が等しくないときは、可否フラグの値を１とし（＃２６０）、図６（ｂ）の警告３６ａを表示して（＃２６５）、ステップ＃２２０に戻る。
【００４９】
ステップ＃２３０の判定で、選択された項目が背景３２の濃度値３３ａでないとき、すなわち、選択された項目が色の設定の実行を指示するボタン３５のときは、可否フラグの値が１であるか否かを判定する（＃２７０）。可否フラグの値が１でないときは、ステップ＃２２０に戻り、可否フラグの値が１のときは、像３１および背景３２の色（濃度）を設定する（＃２７５）。
【００５０】
なお、本実施形態では、像３１および背景３２の濃度値を複数表示して、その中から選択するようにしているが、濃度を数値で入力するようにしてもよい。この場合は、操作キー１４ａを入力に用いるのが便利である。また、その場合、入力された像３１の濃度と背景３２の濃度が、厳密に同じではなくても、ほとんど同じになって、そのまま設定すれば像３１の視認ができなくなることがある。したがって、入力された像３１の濃度と背景３２の濃度の差が所定値以下であるか否かを判定し、所定値以下のときに、設定を行わないようにするのが望ましい。
【００５１】
また、上記の各複写機１、２では表示によって警告を発するようにしているが、他の方法、例えば音声で警告を発するようにすることもできる。
【００５２】
なお、本発明は、以下のように表現することもでき、その結果、以下の作用効果を奏すると言える。
【００５３】
本発明は、シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、使用者から与えられた指示により表示部の像の色と表示部の背景の色の差が所定値以下になるときに、警告を発する構成である。
【００５４】
この画像形成装置は、表示部の像の色と背景の色に大きな差がなくなるときには、警告を発して、その設定では像の視認が困難になったり不可能になったりすることを使用者に知らせることができる。この警告に応じて、使用者が像または背景の色を他の色とする指示を与えることで、像の視認が容易な設定とすることが可能になる。
【００５５】
本発明は、シートに画像を形成する画像形成装置であって、画像の形成に関する情報を含む所定の事項を表す像を表示する表示部を有し、使用者から与えられる指示に応じて、表示部の像の色および表示部の背景の色を変更するものにおいて、使用者から与えられた指示により表示部の像の色と表示部の背景の色の差が所定値以下になるときに、表示部の像の色および表示部の背景の色をその指示が与えられる前の色に保つ構成である。
【００５６】
この画像形成装置は、表示部の像の色と表示部の背景の色が同じまたはほとんど同じになるときには、それらの色を変更しないようにすることができる。したがって、像の視認が不可能になるのを確実に防止することが可能である。
【図面の簡単な説明】
【００５７】
【図１】第１、第２の実施形態の複写機の外観および内部の一部を模式的に示す上面図。
【図２】第１、第２の実施形態の複写機の構成を模式的に示すブロック図。
【図３】第１、第２の実施形態の複写機の表示部が表示する内容の一例を示す図。
【図４】第１の実施形態の複写機における表示部の色の設定に際して表示する操作案内を示す図。
【図５】第１の実施形態の複写機における表示部の色の設定に関する処理の流れを示すフローチャート。
【図６】第２の実施形態の複写機における表示部の色の設定に際して表示する操作案内を示す図。
【図７】第２の実施形態の複写機における表示部の色の設定に関する処理の流れを示すフローチャート。
【符号の説明】
【００５８】
１、２  複写機
１１    コンタクトガラス
１２    原稿搬送部
１３    画像読取部
１４    操作部
１４ａ  操作キー
１４ｂ  タッチパネル
１５    表示部
１６    記憶部
１７    通信部
１８    画像処理部
１９    画像記憶部
２０    画像形成部
２１    シート搬送部
２２    制御部
３１    像
３２    背景
３３    色名
３３ａ  濃度値
３４    枠
３５    ボタン
３６、３６ａ、３７、３７ａ  警告
【図１】
2008304931.tif 000003
【図２】
2008304931.tif 000004
【図３】
2008304931.tif 000005
【図４】
2008304931.tif 000006
【図５】
2008304931.tif 000007
【図６】
2008304931.tif 000008
【図７】
2008304931.tif 000009